(57)【要約】      （修正有）【課題】廃棄物を分別する種類と量に応じて、仕切る部屋の数と容積を変更し易くし、仕切る構造を簡単にすることが出来る廃棄物運搬コンテナの提供。【解決手段】コンテナ１は、前後方向が左右方向より長い直方体状の上面開口箱形状であり、廃棄物発生場所に設置し、廃棄物を分別して入れ、コンテナ運搬車に載せて廃棄物処理場に輸送する廃棄物運搬コンテナにおいて、コンテナ１内部を前後に等分した各区域に設置する上面開口の中箱１１、叉は、コンテナ１内部を前後に等分して左右に等分した各区域に設置する上面開口の小箱を用意し、コンテナ１は、単数叉は複数の小箱、叉は、単数叉は複数の中箱１１、若しくは、単数叉は複数の小箱と単数叉は複数の中箱１１を単数叉は複数の区域に設置して、複数の部屋に仕切る構成にした。【選択図】図６
0003114569.tif 000002
【実用新案登録請求の範囲】
【請求項１】
コンテナは、前後方向が左右方向より長い直方体状の上面開口箱形状であり、廃棄物発生場所に設置し、廃棄物を分別して入れ、コンテナ運搬車に積載して廃棄物処理場に輸送する廃棄物運搬コンテナにおいて、
コンテナ内部を前後に等分した各区域に設置する上面開口の中箱と、コンテナ内部を前後に等分して左右に等分した各区域に設置する上面開口の小箱の一方叉は両方を用意し、
コンテナは、単数叉は複数の小箱、叉は、単数叉は複数の中箱、若しくは、単数叉は複数の小箱と単数叉は複数の中箱を単数叉は複数の区域に設置して、複数の部屋に仕切る構成にしたことを特徴とする廃棄物運搬コンテナ。
【請求項２】
コンテナは、後面を開放可能にし、小箱叉は中箱は、フォークリフト車用のフォーク差込部を設け、フォークリフト車でコンテナにその開放後面を経て積み降ろしをする構成にしたことを特徴とする請求項１に記載の廃棄物運搬コンテナ。
【請求項３】
小箱叉は中箱は、吊上げロープ用の留め部を設け、持上げ装置でコンテナに積み降ろしをする構成にしたことを特徴とする請求項１又は２に記載の廃棄物運搬コンテナ。
【請求項４】
コンテナは、後面を開放可能にし、その開放後面の床端と地表の間に橋を架け渡し可能にし、小箱叉は中箱は、キャスタを着脱可能にし、
小箱叉は中箱は、キャスタを取り付け、地表とコンテナの間の橋を経てコンテナにその開放後面から積み降ろしをする構成にしたことを特徴とする請求項１、２又は３に記載の廃棄物運搬コンテナ。
【考案の詳細な説明】
【技術分野】
【０００１】
本考案は、建築物の建設現場や解体現場などで発生する廃棄物を分別して収集するための運搬コンテナに関する。
【背景技術】
【０００２】
この種の廃棄物運搬コンテナは、特許文献１に開示されているように、直方体状の箱形状であり、前後方向が左右方向より長く、上面を開口し、後面を観音開き式の扉にしている。コンテナの内部は、後方へのみ開く観音開き式の仕切り扉を左右方向に設けて、前後に仕切っている。また、仕切り扉を手動で開閉する開閉装置と、仕切り扉を閉鎖状態に維持するロック装置を設けている。仕切り扉は、コンテナ内部の前後２個所に設けている。コンテナ内部は、前後の仕切り扉で前室、中室と後室の３室に仕切っている。
【０００３】
このコンテナは、後面の扉と前後の仕切り扉を閉鎖してロックした状態で、廃棄物発生場所に設置する。廃棄物は、３種類に分別し、コンテナの前室、中室と後室に入れる。
【０００４】
廃棄物を分別して入れたコンテナは、着脱装置付きのコンテナ運搬車に載せて廃棄物処理場に輸送する。廃棄物処理場で、コンテナは、前端を吊り上げて傾斜させる。最初に、後面の扉を開放する。すると、後室内の廃棄物が滑り落ちて排出される。次に、後側の仕切り扉を開放する。すると、中室内の廃棄物が滑り落ちて排出される。最後に、前側の仕切り扉を開放する。すると、前室内の廃棄物が滑り落ちて排出される。
【０００５】
【特許文献１】実開平６−４５９０４号公報
【考案の開示】
【考案が解決しようとする課題】
【０００６】
上記のような廃棄物運搬コンテナにおいては、仕切り扉を１個所に設けたコンテナは、２室に仕切られ、廃棄物を３種類に分別するときには、使用し難い。また、仕切り扉を２個所に設けたコンテナは、３室に仕切られ、廃棄物を４種類に分別するときには、使用し難い。廃棄物を分別する種類数に応じて部屋の仕切り数を簡単に変更することができない。また、廃棄物を分別する量に応じて部屋の容積を簡単に変更することができない。
【０００７】
その上、廃棄物運搬コンテナは、後方へのみ開く観音開き式の仕切り扉と、その開閉装置とロック装置を設けるので、構造が複雑になる。
【０００８】
［課題を解決するための着想］
１）廃棄物運搬コンテナは、言わば大箱であるので、大箱に小箱や中箱を組み入れて、大箱を小箱や中箱で複数の部屋に仕切ることを考え付いた。大箱に組み入れる小箱と中箱の数によって、部屋の数と容積が変更される。小箱や中箱は、構造が簡単である。
着脱装置付きコンテナ運搬車に積載する廃棄物運搬コンテナは、容積が８ｍ3位であるものが多いので、そのようなコンテナについて具体的に説明する。
容積が８ｍ3位である廃棄物運搬コンテナは、前後に区分して３等分すると、各区域の容積が８／３ｍ3位になる。その区域より一回り小さい、容積が２ｍ3位の中箱を用意する。この中箱は、コンテナの前の区域叉は後の区域に設置すると、コンテナは、２室に仕切られ、容積が２ｍ3位の部屋と５ｍ3強の部屋になる。コンテナの中の区域にも、中箱を設置すると、コンテナは、２個の中箱で３室に仕切られ、容積が２ｍ3位の部屋２室と３ｍ3弱の部屋１室になる。
また、廃棄物運搬コンテナは、前後に３等分して左右に２等分すると、各区域の容積が８／６ｍ3位になる。その区域より一回り小さい、容積が１ｍ3位の小箱を用意する。この小箱は、コンテナの前左の区域に設置すると、コンテナは、２室に仕切られ、容積が１ｍ3位の部屋と７ｍ3弱の部屋になる。コンテナの前右の区域にも、小箱を設置すると、コンテナは、３室に仕切られ、容積が１ｍ3位の部屋２室と５ｍ3強の部屋１室になる。その上、コンテナの中左右の区域にも、小箱２個を設置すると、５室に仕切られ、容積が１ｍ3位の部屋４室と３ｍ3弱の部屋１室になる。コンテナの中左右の区域には、小箱２個に代えて、中箱１個を設置すると、４室に仕切られ、容積が１ｍ3位の部屋２室、２ｍ3位の部屋１室と３ｍ3弱の部屋１室になる。コンテナの６個の区域には、それぞれ、小箱を設置する。すると、６室に仕切られ、容積が１ｍ3位の部屋６室になる。
【０００９】
２）廃棄物運搬コンテナに小箱や中箱を載せたり降ろしたりする作業には、フォークリフト車を使用することを考え付いた。そのため、小箱と中箱は、それぞれ、フォーク差込部を設けることにした。コンテナは、後面を開放可能にすることにした。
コンテナに小箱叉は中箱を組み入れるときには、コンテナは、後面を開放する。小箱叉は中箱は、フォークリフト車で持上げ、コンテナにその開放後面を経て積み込む。
【００１０】
３）また、上記の積み降ろし作業には、クレーン車のような持上げ装置を使用することを考え付いた。そのため、小箱と中箱は、それぞれ、吊上げロープ用の留め部を設けることにした。
コンテナに小箱叉は中箱を組み入れるときには、小箱叉は中箱は、持上げ装置で吊り上げ、コンテナに積み込む。
【００１１】
４）更に、フォークリフト車や持上げ装置が使用できないときのことを考慮し、上記の積み降ろし作業には、人力を使用することを考え付いた。そのため、小箱と中箱は、それぞれ、キャスタを着脱可能にすることにした。コンテナは、後面を開放可能にし、その開放後面の床端と地表の間に橋を架け渡し可能にすることにした。
コンテナに小箱叉は中箱を組み入れるときには、コンテナは、後面を開放し、その開放後面の床端と地表の間に橋を架け渡す。小箱叉は中箱は、キャスタを取り付け、人力で前進させ、地表から橋を経てコンテナにその開放後面から積み込む。
【課題を解決するための手段】
【００１２】
１）コンテナは、前後方向が左右方向より長い直方体状の上面開口箱形状であり、廃棄物発生場所に設置し、廃棄物を分別して入れ、コンテナ運搬車に積載して廃棄物処理場に輸送する廃棄物運搬コンテナにおいて、
コンテナ内部を前後に等分した各区域に設置する上面開口の中箱と、コンテナ内部を前後に等分して左右に等分した各区域に設置する上面開口の小箱の一方叉は両方を用意し、
コンテナは、単数叉は複数の小箱、叉は、単数叉は複数の中箱、若しくは、単数叉は複数の小箱と単数叉は複数の中箱を単数叉は複数の区域に設置して、複数の部屋に仕切る構成にしたことを特徴とする。
【００１３】
２）上記の廃棄物運搬コンテナにおいて、
コンテナは、後面を開放可能にし、小箱叉は中箱は、フォークリフト車用のフォーク差込部を設け、フォークリフト車でコンテナにその開放後面を経て積み降ろしをする構成にしたことを特徴とする。
【００１４】
３）上記の廃棄物運搬コンテナにおいて、
小箱叉は中箱は、吊上げロープ用の留め部を設け、持上げ装置でコンテナに積み降ろしをする構成にしたことを特徴とする。
【００１５】
４）上記の廃棄物運搬コンテナにおいて、
コンテナは、後面を開放可能にし、その開放後面の床端と地表の間に橋を架け渡し可能にし、小箱叉は中箱は、キャスタを着脱可能にし、
小箱叉は中箱は、キャスタを取り付け、地表とコンテナの間の橋を経てコンテナにその開放後面から積み降ろしをする構成にしたことを特徴とする。
【考案の効果】
【００１６】
廃棄物運搬コンテナは、これに組み入れる小箱と中箱の数によって、仕切る部屋の数と容積が変更される。廃棄物を分別する種類数に応じて部屋の仕切り数を簡単に変更することができる。また、廃棄物を分別する量に応じて部屋の容積を簡単に変更することができる。小箱と中箱は、構造が簡単である。更に、廃棄物運搬コンテナに小箱や中箱を載せたり降ろしたりする作業は、多くの手間が掛からない。
【考案を実施するための最良の形態】
【００１７】
廃棄物運搬コンテナ１は、図１〜図３に示すように、直方体状の箱形状であり、前後方向が左右方向より長く、上面を開口している。コンテナ１の後面は、観音開き式の扉２にし、扉２に閂式の閉鎖維持装置３を設けている。コンテナ１の下面は、前端部に脚４を設け、後端部に車輪５を設けている。コンテナ１の前面には、連結部６を設けている。連結部６には、コンテナ運搬車に装置したクレーン式の着脱装置を連結し、着脱装置でコンテナ１の前端を吊り上げて牽引し、コンテナ１をコンテナ運搬車に載せる。
【００１８】
コンテナ１の容積は、実施例では、８ｍ3位である。コンテナ１の内部は、図１に鎖線で示すように、前後に区分して３等分すると、各区域の容積が８／３ｍ3位になる。また、前後に３等分して左右に２等分すると、各区域の容積が８／６ｍ3位になる。
【００１９】
中箱１１は、コンテナ１内部を前後に３等分した各区域より一回り小さい直方体状の箱形状である。この箱１１は、図４に示すように、左右方向が前後方向より長く、上面を開口している。中箱１１の容積は、実施例では、２ｍ3位である。
【００２０】
中箱１１の下面は、２本の溝形部材１２を前後方向に沿って固定し、各溝形部材１２の両端の下面にそれぞれ溝形部材１３を左右方向に沿って固定している。中箱１１は、２本の溝形部材１２によって、底部にフォークリフト車用のフォーク差込部１２を設けている。中箱１１の上面開口は、４隅の隅角部に、それぞれ、吊上げロープを連結する逆Ｕ字形状の留め部１４を設けている。
【００２１】
小箱２１は、コンテナ１内部を前後に３等分して左右に２等分した各区域より一回り小さい直方体状の箱形状である。この箱２１は、図５に示すように、前後方向が左右方向より長く、上面を開口している。小箱２１の容積は、実施例では、１ｍ3位である。
【００２２】
小箱２１の下面は、２本の溝形部材２２を前後方向に沿って固定し、各溝形部材２２の両端の下面にそれぞれ溝形部材２３を左右方向に沿って固定している。小箱２１は、２本の溝形部材２２によって、底部にフォークリフト車用のフォーク差込部２２を設けている。小箱２１の上面開口は、４隅の隅角部に、それぞれ、吊上げロープを連結する逆Ｕ字形状の留め部２４を設けている。
【００２３】
廃棄物運搬コンテナ１は、これに組み入れる中箱１１と小箱２１の数によって、仕切る部屋の数と容積を変更する。廃棄物を分別する種類数に応じて部屋の数を増減する。また、廃棄物を分別する量に応じて部屋の容積を増減する。
【００２４】
コンテナ１は、図６に示すように、内部を前後に３等分した３区域の後の区域に、１個の中箱１１を設置する。すると、コンテナ１は、中箱１１で前後の２室に仕切られる。前の部屋は、後の部屋より容積が２倍位になる。容積は、実施例では、後の部屋が２ｍ3位で、前の部屋が５ｍ3強である。
【００２５】
更に、コンテナ１内部を前後に３等分した３区域の中の区域にも、中箱１１を設置すると、コンテナ１は、２個の中箱１１で前後の３室に仕切られる。３室の部屋は、容積がほぼ同じ位になる。容積は、実施例では、後の部屋と中の部屋が２ｍ3位で、前の部屋が３ｍ3弱である。
【００２６】
コンテナ１は、図７に示すように、内部を前後に３等分して左右に２等分した区域の後左右の区域に、２個の小箱２１を設置する。すると、コンテナ１は、２個の小箱２１で３室に仕切られる。前の部屋は、後左の部屋又は後右の部屋より容積が５倍位になる。容積は、実施例では、後左の部屋又は後右の部屋が１ｍ3位で、前の部屋が５ｍ3強である。
【００２７】
その上、コンテナ１の中左右の区域にも、２個の小箱２１を設置すると、コンテナ１は、４個の小箱２１で５室に仕切られる。前の部屋は、中左、中右、後左又は後右の部屋より容積が２倍位になる。容積は、実施例では、前の部屋が３ｍ3弱で、その他の４室が１ｍ3位である。
【００２８】
また、コンテナ１の中左右の区域には、２個の小箱２１に代えて、１個の中箱１１を設置すると、４室に仕切られる。前の部屋は、中の部屋と容積がほぼ同じ位になる。中の部屋は、後左の部屋又は後右の部屋より容積が２倍位になる。容積は、実施例では、前の部屋が３ｍ3弱で、中の部屋が２ｍ3位で、後左の部屋又は後右の部屋が１ｍ3位である。
【００２９】
コンテナ１の前中後左右の６個の区域には、それぞれ、小箱２１を設置する。すると、コンテナ１は、６室に仕切られる。６室の部屋は、容積が同じである。実施例では、１ｍ3位である。
【００３０】
廃棄物運搬コンテナ１は、中箱１１叉は小箱２１を組み入れて後面の扉２を閉鎖した状態で、建築物の建設現場や解体現場などの廃棄物発生場所に設置する。廃棄物は、分別し、コンテナ１の各部屋に入れる。廃棄物を分別して入れたコンテナ１は、着脱装置付きのコンテナ運搬車に載せて廃棄物処理場に輸送する。
【００３１】
コンテナ１に中箱１１叉は小箱２１を載せたり降ろしたりする作業にフォークリフト車を使用する場合、コンテナ１は、後面の扉２を開放する。フォークリフト車は、フォークを中箱１１叉は小箱２１のフォーク差込部１２叉は２２に差し込み、中箱１１叉は小箱２１を持上げる。そして、中箱１１叉は小箱２１は、コンテナ１にその開放後面を経て積み込む。叉は、コンテナ１からその開放後面を経て降ろす。
【００３２】
中箱１１叉は小箱２１の積み降ろし作業にクレーン車のような持上げ装置を使用する場合、持上げ装置の吊上げロープを中箱１１叉は小箱２１の留め部１４叉は２４に連結し、中箱１１叉は小箱２１を持上げる。そして、中箱１１叉は小箱２１は、コンテナ１にその上面開口を経て積み込む。叉は、コンテナ１からその上面開口を経て降ろす。叉は、中箱１１叉は小箱２１の積み降ろしの際、コンテナ１の上面開口を経由せずに、コンテナ１の開放後面を経由する。
【００３３】
中箱１１叉は小箱２１の積み降ろし作業にフォークリフト車や持上げ装置が使用できない場合は、中箱１１叉は小箱２１にキャスタを取り付ける。
【００３４】
キャスタは、図８に示すように、浅い箱形部材３１の下面の前後左右の４個所に、それぞれ、車輪３２を取り付けている。キャスタの浅い箱形部材３１は、小箱２１叉は中箱１１の底部の溝形部材２３叉は１３に着脱可能である。小箱２１叉は中箱１１は、底部の４個の溝形部材２３叉は１３にキャスタ３１、３２を嵌合して固定する。
【００３５】
コンテナ１は、図９に示すように、後面の扉２を開放する。その開放後面の床端と地表の間に橋３６を後下がりの斜めに架け渡す。そして、キャスタ３１、３２付きの小箱２１叉は中箱１１は、人力で前進させ、地表から橋３６を経てコンテナ１にその開放後面から積み込む。叉は、コンテナ１からその開放後面と橋３６を経て地表に降ろす。
【図面の簡単な説明】
【００３６】
【図１】本考案の実施形態における廃棄物運搬コンテナの平面図。
【図２】図１のＡ−Ａ線断面図。
【図３】同コンテナの背面図。
【図４】同コンテナに組み入れる中箱を示し、（ａ）は平面図、（ｂ）は（ａ）のＢ−Ｂ線断面図、（ｃ）は背面図。
【図５】同コンテナに組み入れる小箱を示し、（ａ）は平面図、（ｂ）は（ａ）のＣ−Ｃ線断面図、（ｃ）は背面図。
【図６】同コンテナに中箱を組み入れた状態を示し、（ａ）は平面図、（ｂ）は（ａ）のＤ−Ｄ線断面図。
【図７】同コンテナに小箱を組み入れた状態を示し、（ａ）は平面図、（ｂ）は（ａ）のＥ−Ｅ線断面図。
【図８】同小箱にキャスタを取り付けた状態を示し、（ａ）は平面図、（ｂ）は（ａ）のＦ−Ｆ線断面図、（ｃ）は背面図。
【図９】同コンテナにその開放後面と橋を経て小箱を積み降ろしする状態を示し、（ａ）は部分平面図、（ｂ）は（ａ）のＧ−Ｇ線断面図。
【符号の説明】
【００３７】
１  廃棄物運搬コンテナ
２  観音開き式の扉
３  閂式の閉鎖維持装置
４  脚
５  車輪
６  連結部
１１  中箱
１２  溝形部材、フォークリフト車用のフォーク差込部
１３  溝形部材
１４  吊上げロープ用の留め部
２１  小箱
２２  溝形部材、フォークリフト車用のフォーク差込部
２３  溝形部材
２４  吊上げロープ用の留め部
３１、３２  キャスタ
３１  キャスタの浅い箱形部材
３２  キャスタの車輪
３６  橋
【図１】
0003114569.tif 000003
【図２】
0003114569.tif 000004
【図３】
0003114569.tif 000005
【図４】
0003114569.tif 000006
【図５】
0003114569.tif 000007
【図６】
0003114569.tif 000008
【図７】
0003114569.tif 000009
【図８】
0003114569.tif 000010
【図９】
0003114569.tif 000011